(57)【特許請求の範囲】
【請求項１】
後面板１と前面板４の一側に側面板２を設け、前面板４の他側に複数段の側段板５を上下に並べて配設し、側段板５の先端にわたって後面板１に重なる後重板６を設け、各側段板５の両端の斜罫線７をそれぞれ山折り及び谷折りし、側段板５間の切目８を拡大させて商品挿入部２２を形成すると共に、側段板５を上方へかけて外側へ傾斜させ、側段板５で商品を受け止める商品陳列具において、側段板５の中間部に上下方向の折畳用罫線１１を入れ、後面板１から延びる側面板２と、前面板４から延びる側面板２の間に、これらを繋ぐ仕切板３を介在させ、側段板５の中間部を仕切板３に係合させて支持することを特徴とする商品陳列具。
【発明の詳細な説明】
【技術分野】
【０００１】
この発明は、商品を斜めに挿入して陳列する商品陳列具に関するものである。
【背景技術】
【０００２】
従来、この種の商品陳列具として、下記特許文献１には、図５に示すように、後面板５１と前面板５２の一側に側面板５３を設け、前面板５２の他側に複数段の側段板５４を上下に並べて配設し、これらの側段板５４の先端にわたって後面板５１に重なる後重板５５を設けたものが記載されている。
【０００３】
この商品陳列具では、各側段板５４の両端の斜罫線５６を山折り及び谷折りし、側段板５４間の切目を拡大させて商品挿入部５７を形成すると共に、側段板５４を上方へかけて外側へ傾斜させ、側段板５４で商品を受け止めるようにしている。
【０００４】
【特許文献１】実開昭５９−１８９６６号公報
【発明の開示】
【発明が解決しようとする課題】
【０００５】
ところで、上記のような商品陳列具において、各段に複数個の商品を挿入するため、商品挿入部を前後に区画しようとすると、別途製作した仕切を取り付ける必要があり、製造や組立に手間がかかるほか、奥行を大きめに設定すると、商品を受け止める側段板が撓んで、見苦しくなるだけでなく、商品が挿入部から落下する恐れもある。
【０００６】
そこで、この発明は、構造が簡単で強度に優れ、組み立ても容易な仕切付きの商品陳列具を提供することを課題とする。
【課題を解決するための手段】
【０００７】
上記課題を解決するため、この発明は、後面板と前面板の一側に側面板を設け、前面板の他側に複数段の側段板を上下に並べて配設し、側段板の先端にわたって後面板に重なる後重板を設け、各側段板の両端の斜罫線をそれぞれ山折り及び谷折りし、側段板間の切目を拡大させて商品挿入部を形成すると共に、側段板を上方へかけて外側へ傾斜させ、側段板で商品を受け止める商品陳列具において、側段板の中間部に上下方向の折畳用罫線を入れ、後面板から延びる側面板と、前面板から延びる側面板の間に、これらを繋ぐ仕切板を介在させ、側段板の中間部を仕切板に係合させて支持するようにしたのである。
【発明の効果】
【０００８】
この商品陳列具では、側面板を仕切板の基端で折り曲げると共に、側段板を折畳用罫線に沿って折り曲げることにより、扁平に折り畳むことができ、その折畳状態から側面板及び側段板を伸ばして、商品挿入部が仕切板で区画された状態に容易に組み立てることができる。また、この組立状態では、側段板の撓みが仕切板で防止され、商品を安定して支持した状態で陳列できる。
【発明を実施するための最良の形態】
【０００９】
以下、この発明の実施形態を添付図面に基づいて説明する。
【００１０】
この商品陳列具は、板紙を材料とするものであり、図１に示すように、そのブランクでは、後面板１の一側に側面板２、２枚の仕切板３、側面板２及び前面板４が順次連設されると共に、前面板４の他側に複数段の側段板５が上下に並べて連設され、これらの側段板５の先端にわたって後重板６が連設されている。
【００１１】
各側段板５と前面板４及び後重板６との境界には、上方へかけて４５°外側へ傾斜した斜罫線７が入れられ、上下の側段板５の間には切目８が入れられている。上端及び下端の側段板５にはそれぞれ天折片９及び底蓋板１０が連設され、各側段板５と、天折片９及び底蓋板１０の中間部には、斜罫線７と平行に折畳用罫線１１が入れられている。
【００１２】
一方の仕切板３には、他方の仕切板３への切込により、上下に間隔をおいて複数個の支持片１２が突設され、各仕切板３の上端及び下端には折曲片１３が、後面板１及び前面板４の下端には折曲片１４がそれぞれ連設されている。
【００１３】
前面板４の上端には天蓋板１５が連設され、その一側及び底蓋板１０の先端には差込片１６がそれぞれ連設されている。これらの差込片１６の先端中央部及び仕切板３の上下両側には、それぞれ係合切込１７が設けられている。
【００１４】
後面板１の上端には重合板１８が連設され、後面板１及び重合板１８には、天蓋板１５の先端に突設された差込片１９が差し込まれる差込穴２０と、吊下用の紐を挿通する紐穴２１とが設けられている。
【００１５】
このブランクを組み立てるには、図２に示すように、後面板１の前面に重合板１８を貼着し、仕切板３を二重に折り重ねて貼り合わせ、後面板１から側面板２、前面板４を順次巻き込むように折り曲げ、各側段板５の両端の斜罫線７をそれぞれ同時に山折り及び谷折りし、切目８を拡大させて商品挿入部２２を形成すると共に、各側段板５を上方へかけて外側へ傾斜させる。
【００１６】
そして、図３に示すように、後重板６を後面板１に貼り合わせ、折曲片１３，１４及び天折片９を水平に折り曲げて、底蓋板１０及び天蓋板１５を閉じ、係合切込１７を噛み合わせつつ、底蓋板１０及び天蓋板１５の差込片１６を側面板２の内側に差し込み、天蓋板１５の差込片１９を差込穴２０に差し込む。また、仕切板３から突出した支持片１２により、側段板５の中間部を支持する。
【００１７】
このように組み立てた陳列具を使用して商品を陳列する際には、各段の商品挿入部２２に商品を２個ずつ仕切板３の前後に並べて挿入し、上方へかけて外側へ傾斜した側段板５で商品を受け止める。この陳列状態では、側段板５の撓みが支持片１２で防止され、商品を安定して支持した状態で陳列できる。
【００１８】
また、この陳列具は、図４に示すように、天折片９及び底蓋板１０を開いて、側面板２を仕切板３の基端で折り曲げると共に、側段板５及びこれに繋がる部分を折畳用罫線１１に沿って折り曲げることにより、扁平に折り畳むことができ、嵩張らない状態で輸送・保管することができる。
【００１９】
そして、その折畳状態から側面板２の折り曲げを伸ばすと共に、側段板５及びこれに繋がる部分の折り曲げを伸ばすと、別途製作した仕切板を取り付けることなく、図３に示すように、商品挿入部２２が仕切板３で区画された状態に容易に組み立てることができるので、製造コストを抑制でき、店頭での陳列作業も迅速に行うことができる。
【００２０】
なお、上記実施形態では、側段板５の中間部を仕切板３の支持片１２で支持することとしたが、側段板５の中間部を下方へ膨出させ、その膨出部に入れたスリットを仕切板３の稜部に係合させて、側段板５の中間部を支持するようにしてもよい。また、仕切板３は、二重に折り重ねたが、額縁状に折り曲げて、幅を有する形状としてもよい。
【図面の簡単な説明】
【００２１】
【図１】この発明の実施形態に係る商品陳列具のブランクを示す図
【図２】同上の組立過程を示す斜視図
【図３】同上の組立状態を示す斜視図
【図４】同上の折畳状態を示す斜視図
【図５】従来の商品陳列具を示す斜視図
【符号の説明】
【００２２】
１  後面板
２  側面板
３  仕切板
４  前面板
５  側段板
６  後重板
７  斜罫線
８  切目
９  天折片
１０  底蓋板
１１  折畳用罫線
１２  支持片
１３，１４  折曲片
１５  天蓋板
１６  差込片
１７  係合切込
１８  重合板
１９  差込片
２０  差込穴
２１  紐穴
２２  商品挿入部
【図１】
0004806245.tif 000002
【図２】
0004806245.tif 000003
【図３】
0004806245.tif 000004
【図４】
0004806245.tif 000005
【図５】
0004806245.tif 000006